(57)【要約】【課題】培養される細胞を撮像する際におけるフォーカス制御をより効率的に行うことができ、フォーカス精度の向上を図ることができる細胞撮像制御装置および方法並びにプログラムを提供する。【解決手段】培養される細胞の成熟度に関連する情報および細胞のコロニー内における観察位置情報の少なくとも１つを取得する情報取得部２２と、細胞の成熟度に関連する情報および観察位置情報の少なくとも１つに基づいて、フォーカスパラメータを決定するフォーカスパラメータ決定部２３と、フォーカスパラメータに基づいて、細胞の画像を撮像する撮像装置におけるフォーカス制御を行うフォーカス制御部２５とを備える。【選択図】図１
2015166829.tif 000002
【特許請求の範囲】
【請求項１】
培養される細胞の成熟度に関連する情報および前記細胞のコロニー内における観察位置情報の少なくとも１つを取得する情報取得部と、
前記細胞の成熟度に関連する情報および前記観察位置情報の少なくとも１つに基づいて、フォーカスパラメータを決定するフォーカスパラメータ決定部と、
前記フォーカスパラメータに基づいて、前記細胞の画像を撮像する撮像装置におけるフォーカス制御を行うフォーカス制御部とを備えたことを特徴とする細胞撮像制御装置。
【請求項２】
前記細胞の画像を取得する画像取得部を備え、
前記情報取得部が、前記細胞の画像を解析することによって前記成熟度に関連する情報を取得するものである請求項１記載の細胞撮像制御装置。
【請求項３】
前記細胞の画像を取得する画像取得部と、
前記細胞の画像内における前記細胞のコロニーの領域を特定するコロニー領域特定部とを備え、
前記情報取得部が、前記コロニー領域特定部によって特定されたコロニーの領域内の位置の指定を受け付けることにより前記観察位置情報を取得するものである請求項１記載の細胞撮像制御装置。
【請求項４】
前記細胞の画像を取得する画像取得部と、
前記細胞の画像内における前記細胞のコロニーの領域を特定するコロニー領域特定部とを備え、
前記情報取得部が、前記コロニー領域特定部によって特定されたコロニーの領域内の画像情報に基づいて、前記観察位置情報を取得するものである請求項１記載の細胞撮像制御装置。
【請求項５】
前記成熟度に関連する情報が、前記細胞の培養期間である請求項１から４いずれか１項記載の細胞撮像制御装置。
【請求項６】
前記フォーカスパラメータが、フォーカス探索初期位置、フォーカス探索範囲、フォーカス探索幅、フォーカス探索順およびフォーカス動作回数のうちの少なくとも１つを含む請求項１から５いずれか１項記載の細胞撮像制御装置。
【請求項７】
前記フォーカスパラメータ決定部が、前記観察位置情報とフォーカス探索初期位置との関係を表す関数を有するものであり、
該関数と前記観察位置情報とに基づいて、前記フォーカス探索初期位置を前記フォーカスパラメータとして決定するものである請求項１から６いずれか１項記載の細胞撮像制御装置。
【請求項８】
前記関数が、前記観察位置情報が前記細胞のコロニーの中央部から周辺部に向かうにつれて前記フォーカス探索初期位置がガウス分布形状に沿って変化するものである請求項７記載の細胞撮像制御装置。
【請求項９】
前記情報取得部が、前記成熟度に関連する情報と前記観察位置情報との両方を取得するものであり、
前記フォーカスパラメータ決定部が、前記フォーカスパラメータとしてフォーカス探索初期位置を決定するものであり、かつ前記観察位置情報が前記細胞のコロニー内の周辺部である場合、前記成熟度が進行しているほど前記細胞の設置面側に近い前記フォーカス探索初期位置を決定するものである請求項１から８いずれか１項記載の細胞撮像制御装置。
【請求項１０】
前記情報取得部が、前記成熟度に関連する情報と前記観察位置情報との両方を取得するものであり、
前記フォーカスパラメータ決定部が、前記フォーカスパラメータとしてフォーカス探索初期位置を取得するものであり、かつ前記観察位置情報が前記細胞のコロニー内の中央部である場合、前記成熟度が初期段階および後期段階である場合よりも前記成熟度が中期段階である場合の方が前記細胞の設置面から遠い前記フォーカス探索初期位置を決定するものである請求項１から９いずれか１項記載の細胞撮像制御装置。
【請求項１１】
培養される細胞の成熟度に関連する情報および前記細胞のコロニー内における観察位置情報の少なくとも１つを取得し、
前記細胞の成熟度に関連する情報および前記観察位置情報の少なくとも１つに基づいて、フォーカスパラメータを決定し、
該決定したフォーカスパラメータに基づいて、前記細胞の画像を撮像する撮像装置におけるフォーカス制御を行うことを特徴とする細胞撮像制御方法。
【請求項１２】
コンピュータを、培養される細胞の成熟度に関連する情報および前記細胞のコロニー内における観察位置情報の少なくとも１つを取得する情報取得部と、
前記細胞の成熟度に関連する情報および前記観察位置情報の少なくとも１つに基づいて、フォーカスパラメータを決定するフォーカスパラメータ決定部と、
該フォーカスパラメータ決定部によって決定されたフォーカスパラメータに基づいて、
前記細胞の画像を撮像する撮像装置におけるフォーカス制御を行うフォーカス制御部として機能させることを特徴とする細胞撮像制御プログラム。
【発明の詳細な説明】
【技術分野】
【０００１】
本発明は、細胞を撮像する撮像装置のフォーカス制御を行う細胞撮像制御装置および方法並びにプログラムに関するものである。
【背景技術】
【０００２】
従来、ＥＳ細胞、ｉＰＳ細胞、ＳＴＡＰ細胞などの多能性幹細胞や、分化誘導された細胞などを経時的に撮像し、その画像の経時的な変化を捉えることで細胞の培養状態の良否判定を行う方法が提案されている。
【０００３】
そして、上述したように細胞を撮像する装置として顕微鏡が用いられるが、顕微鏡で細胞の画像を撮像する際には、いわゆるオートフォーカス制御が行われ、これによりフォーカス位置が最適な状態で細胞の画像が撮像される。
【０００４】
このようなオートフォーカス制御によって細胞を撮像する装置として、特許文献１には、細胞毎にオートフォーカス制御を行うことによってフォーカス位置を取得し、このフォーカス位置と細胞が培養される容器の情報とを対応づけて記憶しておくことが提案されている。
【０００５】
また、特許文献２には、明視野画像に基づいてオートフォーカス制御を行うことによってフォーカス位置を取得し、この取得したフォーカス位置に標的分子の種類に応じたオフセットを付加することによって蛍光観察時のフォーカス位置を取得する方法が提案されている。
【０００６】
また、特許文献３〜特許文献５には、細胞の種類、ウェル底部の形状、培地の厚みに応じてフォーカスをオフセットさせることが提案されている。
【０００７】
また、特許文献６には、照明のムラ情報に基づいてオートフォーカス制御を行うことが提案されており、特許文献７には、被写体である受精卵の位置を取得し、その位置に基づいて受精卵を高倍率で撮像する際に、フォーカス探索範囲を限定してオートフォーカス制御を行うことが提案されている。
【先行技術文献】
【特許文献】
【０００８】
【特許文献１】特開２０１１−０２２３２２号公報
【特許文献２】特開２０１３−０４４９６７号公報
【特許文献３】特開２００１−２９６４７８号公報
【特許文献４】特開２００９−１９８５２５号公報
【特許文献５】特開２００６−００３５４３号公報
【特許文献６】国際公開第２０１０/１２８６７０号
【特許文献７】国際公開第２００９/１２５５４７号
【発明の概要】
【発明が解決しようとする課題】
【０００９】
ここで、たとえば上述したような幹細胞を培養する際、幹細胞コロニーの形態は培養期間に応じて変化する。具体的には、幹細胞コロニーの培養が進むと、幹細胞コロニーの中心部では未分化細胞が密集した状態となり、周辺部では未分化細胞から分化細胞に変化した状態となる。未分化細胞と分化細胞とでは核/細胞質の比が異なるので、幹細胞コロニーの中心部と周辺部とで細胞核の細胞設置面からの高さが異なる状態となる。
【００１０】
このような状態において、幹細胞コロニー内の全ての細胞核が探索されるようにオートフォーカス制御を行ったのでは、その探索範囲が広くなるため、最適なフォーカス位置を見つけ出すまでの計測時間が長くなり、また、その際に取得されるフォーカス位置毎の細胞画像のデータ量も多くなってしまう。
【００１１】
特許文献１〜特許文献７においては、上述したような問題を解決する方法については何も提案されていない。また、従来は、初期時刻での所定の条件や情報などに基づいてフォーカスパラメータを決定するのみであるので、上述したような細胞の成長（時間経過）によって細胞の形態が変化することで、オートフォーカスの精度が低下する問題がある。
【００１２】
本発明は、上記の問題に鑑み、培養される細胞を撮像する際におけるフォーカス制御をより効率的に行うことができ、フォーカス精度の向上を図ることができる細胞撮像制御装置および方法並びにプログラムを提供することを目的とする。
【課題を解決するための手段】
【００１３】
本発明の細胞撮像制御装置は、培養される細胞の成熟度に関連する情報および細胞のコロニー内における観察位置情報の少なくとも１つを取得する情報取得部と、細胞の成熟度に関連する情報および観察位置情報の少なくとも１つに基づいて、フォーカスパラメータを決定するフォーカスパラメータ決定部と、フォーカスパラメータに基づいて、細胞の画像を撮像する撮像装置におけるフォーカス制御を行うフォーカス制御部とを備えたことを特徴とする。
【００１４】
また、本発明の細胞撮像制御装置においては、細胞の画像を取得する画像取得部を備えたものとし、情報取得部を、細胞の画像を解析することによって成熟度に関連する情報を取得するものとできる。
【００１５】
また、細胞の画像を取得する画像取得部と、細胞の画像内における細胞のコロニーの領域を特定するコロニー領域特定部とを設け、情報取得部を、コロニー領域特定部によって特定されたコロニーの領域内の位置の指定を受け付けることにより観察位置情報を取得するものとできる。
【００１６】
また、細胞の画像を取得する画像取得部と、細胞の画像内における細胞のコロニーの領域を特定するコロニー領域特定部とを設け、情報取得部を、コロニー領域特定部によって特定されたコロニーの領域内の画像情報に基づいて、観察位置情報を取得するものとできる。
【００１７】
また、成熟度に関連する情報として、細胞の培養期間を取得することができる。
【００１８】
また、フォーカスパラメータとして、フォーカス探索初期位置、フォーカス探索範囲、フォーカス探索幅、フォーカス探索順およびフォーカス動作回数のうちの少なくとも１つを決定することができる。
【００１９】
また、フォーカスパラメータ決定部を、観察位置情報とフォーカス探索初期位置との関係を表す関数を有するものとし、その関数と観察位置情報とに基づいて、フォーカス探索初期位置をフォーカスパラメータとして決定するものとできる。
【００２０】
また、上記関数を、観察位置情報が細胞のコロニーの中央部から周辺部に向かうにつれてフォーカス探索初期位置がガウス分布形状に沿って変化するものとできる。
【００２１】
また、情報取得部を、成熟度に関連する情報と観察位置情報との両方を取得するものとし、フォーカスパラメータ決定部を、フォーカスパラメータとしてフォーカス探索初期位置を決定するものとし、かつ観察位置情報が細胞のコロニー内の周辺部である場合、成熟度が進行しているほど細胞の設置面側に近いフォーカス探索初期位置を決定するものとできる。
【００２２】
また、情報取得部を、成熟度に関連する情報と観察位置情報との両方を取得するものとし、フォーカスパラメータ決定部を、フォーカスパラメータとしてフォーカス探索初期位置を取得するものとし、かつ観察位置情報が細胞のコロニー内の中央部である場合、成熟度が初期段階および後期段階である場合よりも成熟度が中期段階である場合の方が細胞の設置面から遠いフォーカス探索初期位置を決定するものとできる。
【００２３】
本発明の細胞撮像制御方法は、培養される細胞の成熟度に関連する情報および細胞のコロニー内における観察位置情報の少なくとも１つを取得し、細胞の成熟度に関連する情報および観察位置情報の少なくとも１つに基づいて、フォーカスパラメータを決定し、その決定したフォーカスパラメータに基づいて、細胞の画像を撮像する撮像装置におけるフォーカス制御を行うことを特徴とする。
【００２４】
本発明の細胞撮像制御プログラムは、コンピュータを、培養される細胞の成熟度に関連する情報および細胞のコロニー内における観察位置情報の少なくとも１つを取得する情報取得部と、細胞の成熟度に関連する情報および観察位置情報の少なくとも１つに基づいて、フォーカスパラメータを決定するフォーカスパラメータ決定部と、フォーカスパラメータ決定部によって決定されたフォーカスパラメータに基づいて、細胞の画像を撮像する撮像装置におけるフォーカス制御を行うフォーカス制御部として機能させることを特徴とする。
【発明の効果】
【００２５】
本発明の細胞撮像制御装置および方法並びにプログラムによれば、培養される細胞の成熟度に関連する情報および細胞のコロニー内における観察位置情報の少なくとも１つを取得し、細胞の成熟度に関連する情報および観察位置情報の少なくとも１つに基づいてフォーカスパラメータを決定し、その決定したフォーカスパラメータに基づいて、細胞の画像を撮像する撮像装置におけるフォーカス制御を行うようにしたので、たとえば、細胞の成熟度や細胞コロニー内の観察位置に応じてフォーカス探索初期位置を決定するようにすれば、より効率よくフォーカス位置の探索を行うことができ、フォーカス位置毎に撮像される細胞画像のデータ量も削減することができる。また、フォーカス精度の向上を図ることができる。
【図面の簡単な説明】
【００２６】
【図１】本発明の細胞撮像制御装置の一実施形態を用いた幹細胞培養観察システムの概略構成を示すブロック図
【図２】位相差顕微鏡の概略構成を示す図
【図３】培養初期、培養中期および培養後期における幹細胞コロニーの形態の一例を示す図
【図４】未分化細胞と分化細胞の核/細胞質の比を説明するための図
【図５】細胞の種類、培養条件、培養期間および観察位置と、オートフォーカスのフォーカス探索初期位置とを対応づけたテーブルの一例を示す図
【図６】細胞コロニー内の観察位置情報とフォーカスパラメータとの関係を表す距離関数を説明するための図
【図７】本発明の細胞撮像制御装置の一実施形態を用いた幹細胞培養観察システムの作用を説明するためのフローチャート
【発明を実施するための形態】
【００２７】
以下、本発明の細胞撮像制御装置および方法並びにプログラムの一実施形態を用いた細胞培養観察システムについて、図面を参照しながら詳細に説明する。本実施形態の細胞培養観察システムは、細胞画像を撮像する際のフォーカス制御に特徴を有するものであるが、まずは、その全体構成について説明する。図１は、幹細胞培養観察システムの概略構成を示すブロック図である。
【００２８】
本実施形態の幹細胞培養観察システムは、図１に示すように、細胞培養装置１、細胞撮像制御装置２と、位相差顕微鏡３と、ディスプレイ４と、入力装置５とを備えている。
【００２９】
細胞培養装置１は、細胞の培養を行うための装置である。培養対象の細胞としては、たとえばｉＰＳ細胞、ＥＳ細胞、ＳＴＡＰ細胞といった幹細胞や、幹細胞から分化誘導された神経や皮膚や肝臓などの細胞や、がん細胞などがある。細胞培養装置１内には、培養対象の幹細胞を培地に播種した培養容器が複数収容されている。そして、細胞培養装置１は、ステージ１０と搬送部１１と制御部１２とを備えている。
【００３０】
ステージ１０は、位相差顕微鏡３による撮影対象の培養容器が設置されるものである。培養容器としては、幹細胞を平面培養したプレートや浮遊培養したフラスコなどがある。ステージ１０は、図示省略した駆動機構によって、培養容器の設置面内において、直交するＸ方向およびＹ方向に移動可能に構成されたものである。なお、このＸ方向およびＹ方向に直交する方向がＺ方向であり、このＺ方向についてフォーカス位置が変更されてフォーカス制御が行われる。フォーカス制御については、後で詳述する。
【００３１】
搬送部１１は、細胞培養装置１内の所定位置に収容されている複数の培養容器の中から撮影対象の培養容器を選択し、その選択した培養容器をステージ１０まで搬送するものでる。
【００３２】
制御部１２は、細胞培養装置１全体を制御するものであり、上述したステージ１０や搬送部１１の動作以外に、細胞培養装置１内の温度、湿度およびＣＯ２濃度などの環境条件を制御するものである。なお、温度、湿度およびＣＯ２濃度を調整するための構成については、公知な構成を用いることができる。
【００３３】
位相差顕微鏡３は、撮像装置に相当するものであり、ステージ１０上に設置された培養容器内の細胞の位相画像を撮像するものである。本実施形態の位相差顕微鏡３は、フォーカス位置を自動的に変更するオートフォーカス機能を備えたものであり、後述するフォーカス制御部２５から出力されたフォーカス制御信号に基づいてフォーカス制御を行うものである。
【００３４】
図２は、位相差顕微鏡３の概略構成を示す図である。位相差顕微鏡３は、図２に示すように、白色光を出射する白色光源３１と、リング形状のスリットを有し、白色光源３１から出射された白色光が入射されてリング状照明光を出射するスリット板３２と、スリット板３２から射出されたリング状照明光が入射され、その入射されたリング状照明光をステージ１０上に設置された培養容器１５内の細胞に対して照射する対物レンズ３３とを備えている。
【００３５】
そして、ステージ１０に対して白色光源３１とは反対側に、位相差レンズ３４と、結像レンズ３７と、撮像素子３８とが設けられている。
【００３６】
位相差レンズ３４は、対物レンズ３５と、位相板３６とを備えたものである。位相板３６は、リング状照明光の波長に対して透明な透明板に対して位相リングを形成したものである。なお、上述したスリット板３２のスリットの大きさは、この位相リングと共役な関係にある
位相リングは、入射された光の位相を１／４波長ずらす位相膜と、入射された光を減光する減光フィルタとがリング状に形成されたものである。位相差レンズ３４に入射された直接光は対物レンズ３５によって集光され、位相リングを通過することによって位相が１／４波長ずれるとともに、その明るさが弱められる。一方、培養容器１５内の細胞によって回折された回折光は大部分が位相板の透明板を通過し、その位相および明るさは変化しない。
【００３７】
位相差レンズ３４は、図示省略した駆動機構によって図２に示す矢印Ａ方向に移動するものであり、このように位相差レンズ３４が移動することによってフォーカス位置が変更されてフォーカス制御が行われる。駆動機構は、細胞撮像制御装置２のフォーカス制御部２５から出力されたフォーカス制御信号に基づいて位相差レンズ３４を移動させるものである。
【００３８】
また、本実施形態の位相差顕微鏡３は、倍率の異なる複数の位相差レンズ３４を交換可能に構成されている。位相差レンズ３４の交換については、ユーザからの指示入力に応じて自動的に行う構成としてもよいし、ユーザが手動で交換するようにしてもよい。
【００３９】
本実施形態においては、マクロ観察のための低倍率撮像と詳細観察のための高倍率撮像とが行われるが、低倍率撮像の際には１倍〜４倍の位相差レンズ３４が用いられ、高倍率撮像の際には１０倍〜２０倍の位相差レンズ３４が用いられる。ただし、低倍率撮像と高倍率撮像とは相対的に倍率が異なっていればよく、これらの倍率に限定されるものではない。
【００４０】
結像レンズ３７は、位相差レンズ３４を通過した直接光および回折光が入射され、これらの光を撮像素子３８に結像するものである。撮像素子３８は、結像レンズ３７によって結像された像を光電変換することによって細胞の位相画像を撮像するものである。撮像素子３８としては、ＣＣＤ（charge-coupled device）イメージセンサやＣＭＯＳ（Complementary Metal-Oxide Semiconductor）イメージセンサなどが用いられる。
【００４１】
なお、本実施形態においては、撮像装置として位相差顕微鏡３を用いるようにしたが、その他のオートフォーカス機能を備えた顕微鏡を用いるようにしてもよく、たとえば微分干渉顕微鏡などを用いるようにしてもよい。
【００４２】
図１に戻り、細胞撮像制御装置２は、低倍率画像取得部２０と、コロニー領域特定部２１と、情報取得部２２と、フォーカスパラメータ決定部２３と、制御部２４とを備えている。制御部２４は、フォーカス制御部２５と表示制御部２６とを備えている。
【００４３】
細胞撮像制御装置２は、コンピュータに対して本発明の細胞撮像制御プログラムの一実施形態がインストールされたものである。細胞撮像制御装置２は、中央処理装置、半導体メモリおよびハードディスクなどを備えており、ハードディスクに細胞撮像制御プログラムの一実施形態がインストールされている。そして、このプログラムが中央処理装置を有する制御部２４によって実行されることによって、図１に示すような低倍率画像取得部２０、コロニー領域特定部２１、情報取得部２２、フォーカスパラメータ決定部２３、フォーカス制御部２５および表示制御部２６が動作する。
【００４４】
低倍率画像取得部２０は、位相差顕微鏡３によって上述した低倍率撮像により撮像された細胞画像を取得するものである。低倍率画像取得部２０によって取得される低倍率細胞画像は、１つの細胞コロニーを撮像した１枚の画像でもよいし、１つの細胞コロニーを矩形の複数の分割領域で分割した複数の画像群でもよい。また、１枚の画像内に複数の細胞コロニーが含まれていてもよい。
【００４５】
低倍率画像取得部２０は、細胞コロニーを識別するための識別情報と低倍率細胞画像とを対応づけて記憶するものである。たとえば、１つの細胞コロニーを１枚の低倍率細胞画像で撮像した場合には、その細胞コロニーの識別情報と低倍率細胞画像とが１対１で対応づけられて記憶される。また、１つの細胞コロニーを複数の分割領域の低倍率細胞画像で撮像した場合には、その細胞コロニーの識別情報と複数の分割領域の低倍率細胞画像群とが対応づけられて記憶される。また、複数の細胞コロニーを１枚の低倍率細胞画像で撮像した場合には、その各細胞コロニーの識別情報と１枚の低倍率細胞画像とが対応づけられて記憶される。
【００４６】
このように細胞コロニーの識別情報と低倍率細胞画像とを対応づけて記憶して管理することによって、たとえばユーザが入力装置５から細胞コロニーの識別情報を入力した際、その識別情報に対応づけられた低倍率細胞画像を即座に読み出して表示等することができる。
【００４７】
コロニー領域特定部２１は、低倍率画像取得部２０によって取得された低倍率細胞画像内における細胞コロニー領域の位置を特定するものである。細胞コロニー領域を特定する方法としては、たとえば低倍率細胞画像を２値化画像に変換した後、テンプレートマッチングなどによって細胞コロニー領域を自動的に抽出することによって位置を特定するようにすればよい。また、細胞コロニー領域の自動抽出については、上述した方法に限らず、その他の公知な方法を用いるようにしてもよい。
【００４８】
また、自動抽出に限らず、表示制御部２６によってディスプレイ４に低倍率細胞画像を表示させ、ユーザが入力装置５を用いて低倍率細胞画像内における細胞コロニー領域を指定し、その指定された座標などの位置情報をコロニー領域特定部２１が取得するようにしてもよい。
【００４９】
情報取得部２２は、細胞の種類情報と、培養条件の情報と、細胞の成熟度に関連する情報と、細胞コロニー内の観察位置情報とを取得するものである。情報取得部２２によって取得された上記の情報は、フォーカスパラメータ決定部２３においてオートフォーカス制御に用いられるフォーカスパラメータを決定する際に用いられるものである。
【００５０】
細胞の種類情報としては、たとえばｉＰＳ細胞、ＥＳ細胞、分化誘導後の心筋細胞や肝臓細胞などがある。細胞の種類によって大きさ（Ｚ方向の高さ）が異なっているため、細胞の種類情報を取得することによってオートフォーカスのフォーカス探索範囲の上限や下限を設定することができる。なお、細胞の種類情報としては、上記で列挙したものに限らず、その他の種類情報を含めるようにしてもよい。
【００５１】
また、本実施形態においては、細胞の成熟度を培養初期、培養中期および培養後期の３段階に区分し、情報取得部２２によって細胞の成熟度に関連する情報を取得することによって、撮像対象の細胞の成熟度が属する段階を取得するものである。
【００５２】
細胞の成熟度を培養初期、培養中期および培養後期と区分するのは、これらのそれぞれの段階によって細胞コロニーの形態が異なっており、その形態に応じてオートフォーカスのフォーカス探索初期位置を設定することが望ましいからである。
【００５３】
具体的には、たとえば幹細胞コロニーの場合、培養初期は、図３に示すようにコロニー領域内に未分化細胞が均一に分布しているため、コロニー領域の中心部の幹細胞の核の高さｈｃｅｎｔｅｒと周辺部の幹細胞の核の高さｈｅｄｇｅは同じである。
【００５４】
そして、培養中期になると、図３に示すようにコロニー領域の中心部は未分化細胞が密集して分布し、周辺部は分化が始まって分化細胞が分布することになる。図４は、未分化細胞と分化細胞の平面図（上段の図）と立面図（下段の図）とを示したものであるが、分化細胞は未分化細胞よりも核/細胞質の比が低下するので核の高さが低くなる。したがって、図３に示すように、コロニー領域の中心部の幹細胞の核の高さｈｃｅｎｔｅｒは、周辺部の幹細胞の核の高さｈｅｄｇｅよりもΔｈだけ高くなる。
【００５５】
さらに、培養後期になると、図３に示すようにコロニー領域の中心部において分化が起こり易くなり、いわゆるホールと呼ばれる現象が起こることがある。したがって、コロニー領域の中心部の幹細胞の核の高さｈｃｅｎｔｅｒと周辺部の幹細胞の核の高さｈｅｄｇｅとは同じになるが、中心部と周辺部との間の中間部の幹細胞の核の高さｈｍｉｄｄｌｅはΔｈだけ高くなる。
【００５６】
上述したように、培養初期と培養中期と培養後期とで細胞コロニー領域の形態が変化するので、本実施形態においては、この形態変化に応じてオートフォーカスのフォーカス探索初期位置を設定する。
【００５７】
情報取得部２２によって取得される細胞の成熟度に関連する情報は、細胞の成熟度の段階を示す情報であれば如何なる情報でもよく、たとえばタイマなどによって計測された培養期間を成熟度に関連する情報として取得することができる。また、培養期間に限らず、たとえば低倍率細胞画像内の細胞コロニー領域の画像情報を解析し、細胞コロニーの大きさや、幹細胞コロニー内の細胞数または幹細胞コロニーよりも小さい単位面積当たりの細胞数を計測し、その計測した細胞数が多いほど成熟度が進んでいるものとして成熟度に関連する情報として取得するようにしてもよい。細胞コロニー領域の画像情報については、コロニー領域特定部２１によって特定された細胞コロニーの位置情報に基づいて取得するようにすればよい。
【００５８】
細胞コロニーの大きさとしては、細胞コロニーの面積、周囲長、最大径などを取得することができる。また、細胞コロニー内の細胞数の計測については、たとえば個々の細胞または細胞内の核や核小体をパターンマッチングなどによって検出し、その検出した個々の細胞の数をカウントするようにすればよい。
【００５９】
また、たとえば細胞コロニー領域の画像の輝度や、均一性や粗さなどのテクスチャを成熟度に関連する情報として取得するようにしてもよい。たとえば撮像対象の細胞が幹細胞である場合には、その成熟度が進行すると幹細胞の密集度が高くなり、さらに幹細胞が積層されて、画像の輝度が次第に高くなる。したがって、輝度が高いほど成熟度が進行しているといえる。
【００６０】
また、成熟度が進行して上述したように幹細胞が増殖して積層された状態となった場合、画像の均一性が高くなり、また凹凸の少ない滑らかな画像となる。したがって、画像の均一性が高い、または画像が滑らかであるほど成熟度が進行しているといえる。画像の均一性や滑らかさの特徴量の取得方法については、既に公知な手法を用いることができる。
【００６１】
また、成熟度に関連する情報として、幹細胞コロニーの形状の特徴量を取得するようにしてもよい。幹細胞の成熟度が進行すると幹細胞コロニーの形状は次第に円形に近づいた後、周辺部分の分化が進行してエッジの複雑度が大きくなる。したがって、このような幹細胞コロニーの形状の変化の特徴量を成熟度に関連する特徴量として取得することができる。
【００６２】
また、成熟度に関連する情報として、幹細胞コロニーの厚さの特徴量を取得するようにしてもよい。幹細胞の成熟度が進行すると幹細胞コロニーは次第に厚くなっていく。したがって、このような幹細胞コロニーの厚さの特徴量を成熟度に関連する特徴量として取得することができる。幹細胞コロニーの厚さについては、別途設けられた計測装置によって計測するようにすればよい。
【００６３】
また、上述した成熟度に関連する情報は、ユーザが入力装置５を用いて設定入力するようにしてもよく、上述した培養期間や細胞コロニーの大きさなどだけでなく、細胞の継代数を成熟度に関連する情報としてユーザが入力するようにしてもよい。
【００６４】
なお、本実施形態においては、細胞の成熟度を３段階に区分するようにしたが、３段階に限らず、２段階や４段階以上に区分してもよい。また、各段階の間隔についても、培養条件などに応じて種々の間隔を設定することができる。
【００６５】
また、情報取得部２２によって取得される培養条件としては、足場や培地の種類や、
培養対象の細胞とは異なる種類の異種細胞（フィーダー細胞）を使用しているか否かの条件などがある。同じ培養期間であっても、これらの培養条件によって成熟度の段階が異なることになるので、本実施形態では、培養条件も考慮してオートフォーカスのフォーカス探索初期位置を設定する。
【００６６】
また、培養条件は、上記に挙げたものに限らず、細胞の成長速度に影響する条件であれば如何なる条件でもよく、たとえば温度、湿度またはＣＯ２濃度などの培養の環境条件なども含めるようにしてもよい。なお、培養条件の情報は、たとえばユーザによって入力装置５を用いて設定入力されるが、上述したような温度や湿度などは温度計や湿度計で計測した条件を用いるようにしてもよい。
【００６７】
また、情報取得部２２によって取得される細胞コロニー内の観察位置情報は、低倍率撮像によって撮像された細胞コロニー領域内におけるＸ−Ｙ方向の位置であって、高倍率撮像の対象となる位置を示す座標情報である。
【００６８】
上述したように、たとえば図３に示す培養中期および培養後期の細胞コロニー領域においては、細胞コロニー領域内のＸ−Ｙ方向の位置によって核の高さが異なる。したがって、本実施形態においては、細胞コロニー領域内の観察位置情報を取得し、その観察位置情報によってオートフォーカスのフォーカス探索初期位置を設定する。細胞コロニー領域内の観察位置情報は、たとえばユーザが入力装置５を用いて設定入力するようにすればよい。
【００６９】
また、これに限らず、細胞の成熟度の段階と観察位置情報とを対応づけたテーブルを記憶しておき、細胞の成熟度の段階に応じて決定するようにしてもよい。たとえば、細胞の成熟度の段階が培養初期および培養中期である場合には、細胞コロニーの中央位置を観察位置情報とし、培養後期である場合には、中心部と周辺部との間の中間部を観察位置情報とすることによって未分化細胞を中心として観察するようにすればよい。または、これに限らず、細胞の成熟度の段階が培養初期である場合には、細胞コロニーの中央位置を観察位置情報として未分化細胞を中心に観察するようにし、培養中期および培養後期である場合には、周辺部を観察位置情報とすることによって分化細胞を中心に観察するようにしてもよい。
【００７０】
または、低倍率細胞画像内の細胞コロニー領域の画像情報を解析することによって観察位置情報を取得するようにしてもよい。具体的には、細胞コロニー領域内の単位面積当たりの細胞数を密集度として計測し、密集度が予め設定された閾値以上の位置または閾値未満の位置を観察位置情報として取得するようにしてもよい。または、細胞の成熟度が培養初期および培養中期である場合には、密集度が予め設定された閾値以上の位置を観察位置情報とし、細胞の成熟度が培養後期である場合には、密集度が予め設定された閾値未満の位置を観察位置情報とするようにしてもよい。すなわち、細胞の成熟度の段階によって、観察位置情報を設定するための判定方法を変更するようにしてもよい。
【００７１】
次に、フォーカスパラメータ決定部２３は、情報取得部２２によって取得された細胞の種類情報と、培養条件の情報と、細胞の成熟度に関連する情報と、細胞コロニー内の観察位置情報とに基づいて、位相差顕微鏡３のオートフォーカス制御に用いられるフォーカスパラメータを決定するものである。
【００７２】
図５は、細胞の種類、培養条件、培養期間および観察位置と、オートフォーカスのフォーカス探索初期位置とを対応づけたテーブルの一例を示すものである。
【００７３】
フォーカスパラメータ決定部２３には、たとえば図５に示すようなテーブルが予め設定されており、情報取得部２２によって取得された情報に基づいて、図５に示すテーブルを参照することによってフォーカス探索初期位置を決定するものである。なお、図５に示すテーブルにおいては、フォーカス探索初期位置として培養容器１５の底面からのオフセット量（距離）の相対的な関係を示しているが、実際にはオフセット量の絶対値が取得され、そのオフセット量がフォーカス探索初期位置として決定される。また、図５に示すテーブルにおいてＥＳ細胞のオフセット量については実際には設定されているが図示省略している。
【００７４】
具体的には、たとえば細胞の種類情報がｉＰＳ細胞であり、培養条件の情報が条件Ａであり、観察位置情報が中心部である場合には、培養期間が培養初期の段階である場合と培養後期の段階である場合に、フォーカス探索初期位置のオフセット量を相対的に小さくし（細胞の設置面側に近くする）、培養期間が培養中期の段階である場合に、フォーカス探索初期位置のオフセット量を相対的に大きくする（細胞の設置面から遠くする）ようにすればよい。
【００７５】
また、同様に、細胞の種類情報がｉＰＳ細胞であり、培養条件の情報が条件Ａであっても、観察位置情報が周辺部である場合には、培養期間に応じてオフセット量を変更することなく、相対的に小さいオフセット量を決定するようにすればよい。
【００７６】
このように図５に示すテーブルを参照してオフセット量を取得することによって、細胞コロニーの形態に応じた適切なフォーカス探索初期位置を決定することができる。
【００７７】
また、細胞コロニー領域内の観察位置情報に応じたフォーカス探索初期位置については、たとえば、細胞コロニー領域内の中心位置などの基準位置からの相対的な位置関係に基づいて離散的な値で決定するようにしてもよいし、相対的な位置関係に基づいて連続的な値で決定するようにしてもよい。
【００７８】
具体的には、たとえば基準位置から観察位置までの距離を変数とし、その変数に応じたフォーカス探索初期位置を出力する距離関数を予め設定しておき、観察位置とその距離関数とに基づいてフォーカス探索初期位置を決定するようにしてもよい。
【００７９】
距離関数としては、たとえば細胞コロニー領域が円形であると予測される場合には、図６に示すように、細胞コロニー領域の中心（基準位置）を正規分布の平均μとし、細胞コロニー領域の半径を正規分布の分散σ2とした下式のような正規分布の関数を用いることができる。図６の横軸が細胞コロニー領域内の位置であり、縦軸がフォーカス探索初期位置である。また、縦軸のゼロからグラフの値までの範囲を、フォーカス探索範囲として用いることができる。
【００８０】
【数１】
2015166829.tif 000003
このような正規分布の関数を用いる場合、上述したように細胞コロニー領域の中心に正規分布のピーク位置が来るように設定してもよい（μ=0の場合）し、細胞の密集部分が細胞コロニー領域の中心からずれた位置にあると予測される場合には、ピーク位置をオフセットさせても良い（μ=-2の場合など）。なお、細胞コロニー領域は円形以外の形状の場合もあり、細胞の密集の仕方も様々なので、それに合わせて正規分布以外の距離関数を用いるようにしてもよい。また、階段上のピラミッド形状のような離散的に変化する距離関数を用いるようにしてもよい。
【００８１】
そして、上述したような距離関数を、細胞の種類、培養条件および培養期間の情報の組み合わせ毎に設定するようにすればよい。具体的には、たとえば培養期間が長くなるほど細胞コロニー領域の周辺部のオフセット量が小さくなる（フォーカス探索初期位置が細胞の設置面側に近くなる）距離関数を設定するようにすればよい。この際、たとえば基準位置から観察位置までの距離とオフセット量を対応づけた距離関数と、培養期間と細胞サイズとを対応づけた曲線とを用いて培養期間毎の距離関数を設定するようにしてもよいし、細胞の密集度と細胞核の高さとを対応づけた曲線を用いて培養期間（密集度）毎の距離関数を設定するようにしてもよい。
【００８２】
また、図３で示したように培養後期には、細胞コロニー領域の中心部にホールが形成される場合がある。したがって、この場合、細胞コロニー領域の中心部と周辺部との間の中間部がピーク位置となるような正規分布の距離関数を設定するようにしてもよい。また、ホールは培養期間が長くなるにつれて同心円状に広がっていくので、培養期間に応じて正規分布のピーク位置を周辺部に向かって移動させるようにしてもよい。
【００８３】
また、上述したように基準位置から相対的に位置関係に基づいてフォーカス探索初期位置を決定するのではなく、絶対的な位置とフォーカス探索初期位置とを対応づけておいてもよい。なお、ここでいう絶対的な位置とは、観察対象となる培養容器内の培養領域全体（たとえばウェルプレート全体）を見たときの原点位置からの相対位置のことである。
【００８４】
また、さらに培養容器１５の底部のＸ−Ｙ面内の位置毎の厚さや、足場のＸ−Ｙ面内の位置毎の厚さ情報などを取得し、これらも考慮してフォーカス探索初期位置を決定するようにしてもよい。
【００８５】
また、上記説明では、オートフォーカスにおけるフォーカス探索初期位置を決定する方法について説明したが、フォーカスパラメータ決定部２３は、フォーカス探索範囲、フォーカス探索幅、フォーカス探索順、フォーカス動作回数なども決定する。
【００８６】
フォーカス探索範囲は、オートフォーカス制御におけるフォーカス位置の変更範囲であり、下限値と上限値とを有するものである。フォーカス探索範囲については、たとえば、上述したように細胞の種類とフォーカス探索範囲とを対応づけたテーブルを予め設定しておき、情報取得部２２によって取得された細胞の種類情報に基づいて上記テーブルを参照することによってフォーカス探索範囲を決定するようにすればよい
また、細胞コロニー領域内の観察位置情報とフォーカス探索範囲とを対応づけたテーブルを予め設定したり、上述したような距離関数を用いたりして、観察位置情報に応じたフォーカス探索範囲を決定するようにしてもよい。
【００８７】
また、培養期間とフォーカス探索範囲とを対応づけたテーブルを予め設定するようにしてもよい。この場合、たとえば培養期間が長くなるほどフォーカス探索範囲を広げるようにすればよい。
【００８８】
また、細胞の種類、観察位置情報および培養期間の組み合わせ毎にフォーカス探索範囲を決定するようにしてもよい。
【００８９】
フォーカス探索幅とは、オートフォーカス制御における１回のフォーカス位置の変更の際の変更幅のことである。培養が進み細胞コロニーが拡大してくると、場所に応じて細胞の密集度にばらつきが生じることが考えられる。したがって、細胞の密集度のばらつきが小さい培養初期に合わせて設定したフォーカス探索幅では、細胞核がフォーカス探索範囲を外れる確率が上がることが考えられる。
【００９０】
したがって、たとえば培養期間とフォーカス探索幅とを対応づけたテーブルを予め設定しておき、培養期間が長くなるほどフォーカス探索幅を広くするようにしてもよい。
【００９１】
また、細胞コロニー領域の周辺ほど個々の細胞が周りの細胞から受ける外力が小さくなって動きやすくなり、よりばらつきが大きくなる。したがって、細胞コロニー領域内の観察位置情報とフォーカス探索幅とを対応づけたテーブルを予め設定しておき、細胞コロニー領域の中心部よりも周辺部のフォーカス探索幅を広くするようにしてもよい。
【００９２】
また、細胞コロニー内の観察位置情報および培養期間の組み合わせ毎にフォーカス探索幅を決定するようにしてもよい。
【００９３】
フォーカス探索順としては、培養容器１５の底面を基準として高い位置から低い位置にフォーカス位置を順次変更してオートフォーカス制御を行う場合と、低い位置から高い位置にフォーカス位置を順次変更してオートフォーカス制御を行う場合と、培養容器１５の底面に近づいていく方向へのフォーカス位置の変更と離れていく方向へのフォーカス位置の変更とを交互に繰り返してオートフォーカス制御を行う場合とがある。
【００９４】
分化細胞や、コロニー周辺の細胞は培養容器１５の底面に這うように分布していることが多いため、培養容器１５の底面側（低い位置）からフォーカス位置を探索する方が効率的である。一方、未分化細胞や細胞コロニー中心付近の細胞は立っていることが多いので、培養容器１５の底面から離れた位置からフォーカス位置を探索する方が効率的である。
【００９５】
したがって、細胞コロニー領域内の観察位置情報とフォーカス探索順とを対応づけたテーブルを予め設定しておき、細胞コロニー領域の中心部については低い位置から高い位置に向かってフォーカス位置を探索し、細胞コロニーの周辺部については高い位置から低い位置に向かってフォーカス位置を探索するようにしてもよい。
【００９６】
また、培養が進むと、上述したようにフォーカス位置のばらつきが大きくなることから、どちらか一方からフォーカス位置を探索するよりも、高い位置と低い位置とからで挟んで探索した方が細胞コロニー全体での探索回数が減らせてトータルで効率的となる場合があると考えられる。
【００９７】
したがって、たとえば培養期間とフォーカス探索順とを対応づけたテーブルを予め設定しておき、培養初期や培養中期は、上述したように低い位置から高い位置に向かって、または高い位置から低い位置に向かってフォーカス位置を探索し、培養後期は、高い位置からと低い位置からとを交互に繰り返して挟んでフォーカス位置を探索するようにしてもよい。
【００９８】
また、細胞コロニー内の観察位置情報および培養期間の組み合わせ毎にフォーカス探索順を決定するようにしてもよい。
【００９９】
また、フォーカス動作回数とは、オートフォーカス制御におけるフォーカス位置の変更回数の上限である。培養初期〜培養中期において、細胞核やそれに準ずる組織（たとえば核小体）の形態を厳密に認識・評価するためには、厳密なフォーカス精度が必要であるといえる。一方、培養が進んでくると細胞の分化や積層により細胞核やそれに準ずる組織が視認しづらくなってくる傾向にあり、その場合は厳密なフォーカス精度が必要でなくなると考えられる。
【０１００】
したがって、たとえば培養期間とフォーカス動作回数とを対応づけたテーブルを予め設定しておき、培養が進むほどフォーカス動作回数を少なくするようにしてもよい。また、逆に、培養が進むにつれて発現する性状（核内のクロマチン凝集）を評価したい場合もあり、このような場合には、培養が進むほどフォーカス動作回数を増やしてフォーカス精度を上げるようにしてもよい。
【０１０１】
また、細胞コロニー領域内の観察位置情報とフォーカス動作回数とを対応づけたテーブルを予め設定しておき、細胞コロニー領域の周辺部よりも中央部ほどフォーカス動作回数を多くすることによって、中央部のフォーカス精度を上げるようにしてもよい。また、逆に細胞コロニー領域の周辺部を重点的に観察したい場合には、細胞コロニー領域の中央部よりも周辺部ほどフォーカス動作回数を多くすることによって、周辺部のフォーカス精度を上げるようにしてもよい。
【０１０２】
また、細胞コロニー内の観察位置情報および培養期間の組み合わせ毎にフォーカス動作回数を決定するようにしてもよい。
【０１０３】
また、情報取得部２２によって培地の量の情報を取得し、この情報も考慮してフォーカス探索範囲を決定するようにしてもよい。細胞を培養する際、ゴミや死んだ細胞などの浮遊物が培地の表面に存在する場合がある。このような場合、画像のコントラストに基づいてオートフォーカス制御を行うと、浮遊物が存在する培地表面にフォーカス位置が設定され、適切な細胞画像を撮像することができない場合がある。そこで、培地の量の情報を取得することによって培地の表面位置の情報を取得し、その表面位置をオートフォーカス探索範囲から外すようにすればよい。なお、培地の量の情報は、ユーザが入力装置５を用いて設定入力するようにすればよい。
【０１０４】
次に、フォーカス制御部２５は、フォーカスパラメータ決定部２３において決定されたフォーカスパラメータに基づいてフォーカス制御信号を位相差顕微鏡３に出力し、これにより位相差顕微鏡３における位相差レンズ３０をＺ方向に移動させることによってオートフォーカス制御を行うものである。なお、オートフォーカス制御については、既に公知な方法を用いることができ、たとえばフォーカス位置毎に撮像された細胞画像のコントラストを算出し、そのコントラストが最大となるフォーカス位置を最終的なフォーカス位置として設定するようにすればよい。
【０１０５】
また、フォーカス制御部２５は、コロニー領域特定部２１によって特定された細胞コロニー領域の位置と、情報取得部２２によって取得された観察位置情報とに基づいて、細胞培養装置１の制御部１２に制御信号を出力し、細胞コロニー領域内の上記観察位置が高倍率撮像されるようにステージ１０のＸ−Ｙ方向の移動を制御するものである。
【０１０６】
そして、フォーカス制御部２５によって培養容器１５のＸ−Ｙ方向の位置と位相差顕微鏡３のフォーカス位置とが調整された状態で高倍率撮像が行われ、高倍率細胞画像が撮像される。
【０１０７】
表示制御部２６は、低倍率細胞画像や高倍率細胞画像をディスプレイ４に表示させるものである。 
【０１０８】
入力装置５は、マウスやキーボードなどを備えたものであり、ユーザによる設定入力を受け付けるものである。具体的には、入力装置５は、上述したような細胞の種類情報、培養条件、細胞の成熟度に関連する情報、細胞コロニー領域内の観察位置情報の設定入力を受け付けるものである。
【０１０９】
次に、上述した細胞培養観察システムの作用について、図６に示すフローチャートを参照しながら説明する。
【０１１０】
まず、細胞培養装置１において、搬送部１１によって、収容されている複数の培養容器の中から撮影対象の培養が選択され、その選択された培養容器１５がステージ１０に設置される（Ｓ１０）。
【０１１１】
そして、位相差顕微鏡３の位相差レンズ３４の倍率が低倍率に設定されて低倍率細胞画像が撮像され、その撮像された低倍率撮像画像が低倍率画像取得部２０によって取得される（Ｓ１２）。低倍率画像取得部２０によって取得された低倍率細胞画像は表示制御部２６に出力され、表示制御部２６によってディスプレイ４に表示される。
【０１１２】
また、低倍率画像取得部２０によって取得された低倍率細胞画像は、コロニー領域特定部２１に出力され、コロニー領域特定部２１は、入力された低倍率細胞画像に基づいて、その低倍率細胞画像内におけるコロニー領域の位置を特定する（Ｓ１４）。
【０１１３】
一方、ユーザによる設定入力などによって情報取得部２２は、細胞の種類情報と、培養条件の情報と、細胞の成熟度に関連する情報と、細胞コロニー内の観察位置情報とを取得する（Ｓ１６）。
【０１１４】
そして、情報取得部２２によって取得された上記情報は、フォーカスパラメータ決定部２３に出力され、フォーカスパラメータ決定部２３は、入力された上記情報に基づいて、位相差顕微鏡３におけるオートフォーカス制御に用いられるフォーカスパラメータを決定し、フォーカス制御部２５に出力する（Ｓ１８）。
【０１１５】
フォーカス制御部２５は、コロニー領域特定部２１によって特定された細胞コロニー領域の位置と情報取得部２２によって取得された観察位置情報とに基づいて、上記観察位置が高倍率撮像されるようにステージ１０をＸ−Ｙ方向に移動させる。次いで、フォーカス制御部２５は、入力されたフォーカスパラメータに基づいて、位相差顕微鏡３のオートフォーカス制御を行う（Ｓ２０）。なお、このとき位相差顕微鏡３における位相差レンズ３４は高倍率撮像の位相差レンズ３４に交換されているものとする。
【０１１６】
そして、位相差顕微鏡３は、オートフォーカスが終了し、最適なフォーカス位置に設定された状態で観察用の高倍率細胞画像を撮像する。位相差顕微鏡３によって撮像された高倍率細胞画像は細胞撮像制御装置２の表示制御部２６によって取得され（Ｓ２２）、表示制御部２６は、入力された観察用の高倍率細胞画像をディスプレイ４に表示させる（Ｓ２４）。
【０１１７】
上記実施形態の細胞培養観察システムによれば、培養される細胞の培養期間および細胞コロニー内における観察位置情報を取得し、その取得した培養期間および観察位置情報に基づいてフォーカスパラメータを決定し、その決定したフォーカスパラメータに基づいて、細胞の画像を撮像する撮像装置におけるフォーカス制御を行うようにしたので、より効率よくフォーカス位置の探索を行うことができ、フォーカス位置毎に撮像される細胞画像のデータ量も削減することができる。
【０１１８】
なお、上記実施形態では、幹細胞コロニーを撮像する際におけるフォーカスパラメータの決定方法について説明したが、幹細胞コロニーに限定されるものではなく、その他の種類の細胞コロニーでもよい。たとえば心筋細胞コロニーや皮膚細胞コロニーにおける血管の位置情報を観察位置情報として取得し、その観察位置情報に対応するフォーカス探索初期位置を決定するようにしてもよい。また、この場合も培養期間に応じてフォーカス探索初期位置を変更するようにしてもよく、たとえば培養期間が進むほどフォーカス探索初期位置を深い位置（細胞の設置面に近い位置）にするようにしてもよい。
【０１１９】
また、上記実施形態の細胞培養観察システムにおいては、細胞の培養期間の情報と、細胞コロニー内の観察位置情報との両方を取得し、これらの情報に基づいてフォーカスパラメータを決定するようにしたが、これらの情報のいずれか一方のみを取得し、その情報に基づいてフォーカスパラメータを決定するようにしてもよい。たとえば細胞の培養期間の情報のみを取得し、その培養期間の長さに応じてフォーカス探索初期位置を決定するようにしてもよい。また、細胞コロニー内の観察位置情報のみを取得し、細胞コロニー内の中央部よりも周辺部の方がオフセット量が小さくなるようなフォーカス探索初期位置を決定するようにしてもよい。
【０１２０】
また、上記実施形態の細胞培養観察システムにおいては、フォーカスパラメータ決定部２３によってフォーカスパラメータとしてフォーカス探索初期位置やフォーカス探索範囲などを決定し、これらに基づいてフォーカス位置を探索してオートフォーカス制御を行うようにしたが、これに限らず、たとえば、フォーカスパラメータ決定部２３においてフォーカスパラメータとしてフォーカス位置を決定し、フォーカス制御部２５が、そのフォーカス位置となるように位相差顕微鏡３を制御するようにしてもよい。
【符号の説明】
【０１２１】
１     細胞培養装置
２     細胞撮像制御装置
３     位相差顕微鏡
４     ディスプレイ
５     入力装置
１０   ステージ
１１   搬送部
１２   制御部
１５   培養容器
２０   低倍率画像取得部
２１   コロニー領域特定部
２２   情報取得部
２３   フォーカスパラメータ決定部
２４   制御部
２５   フォーカス制御部
２６   表示制御部
３０   位相差レンズ
３１   白色光源
３２   スリット板
３３   対物レンズ
３４   位相差レンズ
３５   対物レンズ
３６   位相板
３７   結像レンズ
３８   撮像素子
【図１】
2015166829.tif 000004
【図２】
2015166829.tif 000005
【図３】
2015166829.tif 000006
【図４】
2015166829.tif 000007
【図５】
2015166829.tif 000008
【図６】
2015166829.tif 000009
【図７】
2015166829.tif 000010